(57)【特許請求の範囲】
【請求項１】
頭部及び前記頭部に下設された軸部を有した雄部材と、前記軸部を挿入する挿入穴を形成している係止脚部及び前記係止脚部の上側周囲に設けられた鍔部を有した雌部材とからなると共に、前記係止脚部が前記軸部の前記挿入穴への押入により使用状態にされるとほぼ同時に前記頭部を前記鍔部に拘束する係合手段を有したクリップであって、
前記係合手段は、前記頭部及び鍔部の一方に設けられた爪部と、他方に設けられて前記爪部と係合する穴部とで構成し、
前記爪部を弾性揺動可能な片部に突出していると共に、前記穴部を区画している穴形成部の一部を前記穴部ないしはスリットを介して弾性揺動可能に形成していることを特徴とするクリップ。
【請求項２】
前記頭部の片部は上下に貫通したスリットを介して弾性揺動されると共に、前記鍔部は前記頭部を収容する周囲壁を有し前記周囲壁に前記穴部を略水平に貫通形成していることを特徴とする請求項１に記載のクリップ。
【請求項３】
前記頭部の片部は前記軸部と略平行に突設されていると共に、前記鍔部は前記頭部を収容する周囲壁を有し前記穴部を前記周囲壁の内側に上下に貫通形成していることを特徴とする請求項１に記載のクリップ。
【請求項４】
前記係止脚部は、先端を閉じた有底筒形をなし、略コ形のスリットを介して区画されて径方向に拡縮可能な取付用係止片を有し、前記係止片が前記軸部の前記挿入穴への押し込みにより縮径不能となることを特徴とする請求項１から３の何れかに記載のクリップ。
【請求項５】
前記雄部材を前記雌部材に仮組付けする仮止め手段と、前記軸部を前記係止脚部の筒内に押し入れるときに案内するガイド手段と、前記軸部を前記係止脚部の筒内に押し入れた際に前記挿入穴の内面に圧接する圧着手段とを有していることを特徴とする請求項１から４の何れかに記載のクリップ。
【発明の詳細な説明】
【技術分野】
【０００１】
本発明は、２ピースタイプのクリップに関し、特に雄部材を雌部材に押入した本止め状態で過大な衝撃などが加わっても雄部材が雌部材から抜け難くしたクリップに関する。
【背景技術】
【０００２】
図９は特許文献１に開示された雄部材１１及び雌部材１５からなるクリップである。雄部材１１は、頭部１２及び頭部に下設された軸部（嵌入軸）１３を有していると共に、頭部１２の周囲に係止鍔部１４を形成している。雌部材１５は、軸部１３を挿入する挿入穴（嵌入孔）１８を形成している係止脚部１７及び係止脚部の上側周囲に設けられた鍔部１６を有していると共に、鍔部１６の上面に内壁に係止爪２３を突出した壁部１９立設している。そして、このクリップでは、係止脚部１７が同（ｂ）に示されるごとく軸部の挿入穴１８への押入により使用ないしは本止め状態にされるとほぼ同時に、壁部の係止爪２３が係止鍔部１４を係合して雄部材１１を引き抜き不能に拘束する。
【０００３】
図１０は特許文献２に開示のクリップであり、クリップ本体２０が雌部材に対応し、差込部３０が雄部材に対応している。差込部３０は、頭部（フランジ部）３４及び頭部に下設された軸部（挿入ピン）３１を有している。クリップ本体２０は、両縦板部２２ａ，２２ｂ及び両縦板部同士を連結している底板部２３と、底板部２３に形成された軸部３１を挿入する挿入穴（差込孔）と、底板部２３に下設された一対の可撓片２１ａ，２１ｂと、両縦板部に設けられ係合爪４０ａ，４０ｂとを有している。そして、このクリップでは、両可撓片２１ａ，２１ｂが同（ｂ），（ｃ）に示されるごとく軸部３１の挿入穴への押入により使用ないしは本止め状態にされるとほぼ同時に、係合爪４０ａ，４０ｂが頭部３４を係合して差込部３０を引き抜き不能に拘束する。
【先行技術文献】
【特許文献】
【０００４】
【特許文献１】特開平７−１１００２１号公報
【特許文献２】特開２００７−２２５０９２号公報
【発明の概要】
【発明が解決しようとする課題】
【０００５】
上記各文献の構造では、雄部材（差込部）の軸部が雌部材（クリップ本体）の挿入穴に押入された使用状態つまり本止め状態において、文献１では雄部材側係止鍔部が雌部材側の係止爪２３に係合され、文献２では差込部側の頭部３４がクリップ本体側の係合爪４０ａ，４０ｂに係合されることで雄部材や差込部が引き抜き不能に拘束される。このため、各クリップ構造では、振動や引き抜き方向の衝撃が加わっても雄部材が雌部材から外れ難く安定した取付状態を維持できる。このため、用途としては、例えば、車体下側やタイヤ付近に部品を車体パネル等に取り付けるために用いると、走行中に飛び石などが当たり、その衝撃で雄部材が雌部材から抜ける虞のある仕様に好適となる。
【０００６】
ところが、各文献の構造では、係合ないしは拘束力を増大すると、雌部材に対する雄部材の押入操作力も比例して大きくなるため強い力が必要となって作業効率が悪くなる。この点は、作業が狭い場所で行われる場合は更に深刻な問題となる。
【０００７】
本発明の目的は、以上のような背景から、係合ないしは拘束力を増大する場合にも、操作力として多少なりとも弱くして作業性を良好に維持することにある。他の目的は以下の内容説明のなかで明らかにする。
【課題を解決するための手段】
【０００８】
上記目的を達成するため請求項１の発明は、図１〜図５を参照して特定すると、頭部１０及び前記頭部に下設された軸部１５を有した雄部材１と、前記軸部１５を挿入する挿入穴２６を形成している係止脚部２５及び前記係止脚部の上側周囲に設けられた鍔部２０を有した雌部材２とからなると共に、前記係止脚部２５が前記軸部１５の前記挿入穴２６への押入により使用状態にされるとほぼ同時に前記頭部１０を前記鍔部２０に拘束する係合手段３を有したクリップ４であって、前記係合手段３は、前記頭部１０及び鍔部２０の一方に設けられた爪部１４（図７の例では爪部７ａ）と、他方に設けられて前記爪部１４と係合する穴部２３（図７の例では穴部２１ａ）とで構成し、前記爪部１４を弾性揺動可能な片部１３（図７の例では片部７）に突出していると共に、前記穴部２３を区画している穴形成部の一部２２ａ（図７の例では一部２１ｂ）を穴部２３（図７の例では穴部２１ａ）を介して弾性揺動可能に形成していることを特徴としている。
【０００９】
以上のクリップにおいて、『爪部』には単一以外に複数の構成も含まれる。『穴部』には貫通穴に限らず凹状の穴も含まれる。また、対象のクリップは、第１部材に単一又は複数の第２部材を装着したり、部材同士を重ね合わせた状態で結合するような場合に用いられる。特に、雄部材が雌部材の挿入孔に押入された使用状態において、振動や衝撃などを受けるような仕様でも係合手段により雌部材に対する雄部材の不用意な外れを確実に阻止したい場合に好適なタイプである。本発明は、その係合手段の係合力を増大しても、雌部材に対する雄部材の押入操作性、つまり係合操作力として弱い力で作業でき、一旦係合されると外れ難くなるよう工夫にしたものである。
【００１０】
以上の本発明は、請求項２〜５で特定したように具体化されることがより好ましい。
（ア）図３に例示されるように、前記頭部の片部は上下に貫通したスリットを介して弾性揺動されると共に、前記鍔部は前記頭部を収容する周囲壁を有し前記周囲壁に前記穴部を略水平に貫通形成している構成である（請求項２）。
（イ）図７及び図８に例示されるように、前記頭部の片部は前記軸部と略平行に突設されていると共に、前記鍔部は前記頭部を収容する周囲壁を有し前記穴部を前記周囲壁の内側に上下に貫通形成している構成である（請求項３）。
【００１１】
（ウ）前記係止脚部は、先端を閉じた有底筒形をなし、略コ形のスリットを介して区画されて径方向に拡縮可能な取付用係止片を有し、前記係止片が前記軸部の前記挿入穴への押し込みにより縮径不能となる構成である（請求項４）。
（エ）前記雄部材を前記雌部材に仮組付けする仮止め手段（例えば、突起１８と係止穴２９）と、前記軸部を前記係止脚部の筒内に押し入れるときに案内するガイド手段（例えば、溝１６とリブ２６）と、前記軸部を前記係止脚部の筒内に押し入れた際に前記挿入穴の内面に圧接する圧着手段（例えば、軸部の突起１８）とを有している構成である（請求項５）。
【発明の効果】
【００１２】
請求項１の発明では、雄部材側の頭部と雌部材側の鍔部との間に設けられる係合手段として、例えば、図３に示されるごとく爪部１４及び穴部２３で構成し、爪部１４を弾性揺動可能な片部１３に突出し、穴部２３を区画している穴形成部の一部２２ａを穴部２３を介して弾性揺動可能に形成している。また、図７に示されるごとく爪部７ａ及び穴部２１ａで構成し、爪部７ａを弾性揺動可能な片部７に突出し、穴部２１ａを区画している穴形成部の一部２１ｂをスリット２１ｃを介して弾性揺動可能に形成している。従って、本発明の係合手段では、図３（ａ）の拡大図から分かるように、爪部及び穴部が係合する過程では爪部１４を突出している片部１３の弾性揺動と、穴形成部の一部２２ａの弾性揺動とにより比較的弱い力で係合操作でき、係合後は係合解除つまり雌部材に対して雄部材の抜けが起きに難くなる。これにより、本発明は係合手段による係合力を増大する場合にも、作業性を良好に維持できる。
【００１３】
請求項２の発明では、図３のごとく頭部が鍔部の周囲壁に収容されるため外力の影響を受け難く、加えて周囲壁に爪部と係合する穴部を水平方向に貫通したり、頭部の片部を上下に貫通したスリットを介して弾性揺動するようにしているため、爪部が穴部に弾性係合された後は係合解除され難い構成となり、係合操作力を弱くすると共に係合力を増大するという背反する要求を満足できる。
【００１４】
請求項３の発明では、図８のごとく頭部が鍔部の周囲壁に収容されるため外力の影響を受け難く、また、爪部及び穴部として請求項２の構成に限定されず設計上の自由度を拡大できる。
【００１５】
請求項４の発明では、文献１や２の構成に比べ、例えば、係止脚部が先端を閉じた有底筒形をなしているため、例えば車体下側に用いられる仕様で、飛び石等の外力が加わっても影響を受け難くなり高品質化が図られる。
【００１６】
請求項５の発明では、雄部材を雌部材に仮組付けする仮止め手段を有しているため取扱性に優れ、軸部を係止脚部の筒内に押し入れるときに案内するガイド手段を有しているため組込操作性に優れ、軸部を係止脚部の筒内に押し入れた際に圧接する圧着手段を有しているため両部材の結合力を増大できる。
【図面の簡単な説明】
【００１７】
【図１】形態例のクリップを雄部材を雌部材に仮組付けした状態で示す外観図である。
【図２】上記クリップを仮組付けした状態で示し、（ａ）は上面図、（ｂ）は（ａ）のＡ−Ａ線断面図である。
【図３】上記クリップの使用操作を説明するため図であり、（ａ）はクリップを仮組付け状態でパネル及び被取付部材の各取付孔に挿入して雄部材の押入れ途中の断面図、（ｂ）は雄部材を雌部材に係合及び圧着した使用ないしは本止め状態での断面図である。
【図４】上記雄部材単品を示し、（ａ）は上面図、（ｂ）は正面図、（ｃ）は右側面図、（ｄ）は下面図、（ｅ）は（ａ）のＢ−Ｂ線断面図である。
【図５】上記雌部材単品を示し、（ａ）は上面図、（ｂ）は正面図、（ｃ）は右側面図、（ｄ）は下面図、（ｅ）は（ａ）のＣ−Ｃ線断面図である。
【図６】（ａ）は上記形態の変形例１を示す雄部材の斜視図、（ｂ）は上記形態の変形例２を示す雌部材の斜視図である。
【図７】上記形態の変形例３を示し、（ａ）は雄部材を雌部材に仮組付けした状態での上面図、（ｂ）は（ａ）のＤ−Ｄ線半断面図である。
【図８】上記変形例３を雄部材を雌部材に押入して使用ないしは本止め状態で示す半断面図である。
【図９】特許文献１の構造を示し、（ａ）及び（ｂ）は文献１の図１と図４である。
【図１０】特許文献２の構造を示し、（ａ）から（ｃ）は文献２の図６である。
【発明を実施するための形態】
【００１８】
以下、本発明の形態例及び変形例を図面を参照して説明する。この説明では、クリップの構造を詳述した後、主な作動を明らかにし、最後に図６の変形例１と２、図７及び図８の変形例３について言及する。なお、クリップの大きさは任意であるが、図面上は理解し易くするため拡大して示している。
【００１９】
（構造）形態例のクリップ４は、頭部１０及び該頭部に下設された軸部１５を有した樹脂製の雄部材１と、軸部１５を挿入する挿入穴２６を形成している係止脚部２５及び該係止脚部の上側周囲に設けられた鍔部２０を有した樹脂製の雌部材２と、係止脚部２５が軸部１５の挿入穴２６への押入により使用状態ないしは本止め状態にされるとほぼ同時に、頭部１０を鍔部２０に拘束可能な係合手段３とを備えている点で従来と同じ。工夫点は、特に、係合手段３の構成と、係止脚部２５の形状及び雄部材１を雌部材２に仮組付けする仮止め手段５の構成などにある。以下、これらの細部構成を明らかにする。
【００２０】
まず、雄部材１は、図１及び図４に示されるごとく頭部１０が概略矩形状で、軸部１５が該頭部下面の中央に略矩形柱状に突設されている。頭部１０には、上面両側が中間部１１より一段低くなっており、その低くなった箇所に上下に貫通されたスリット１２と、周囲部とスリット１２との間に区画された弾性揺動可能な片部１３と、片部１３の外面（この外面は頭部を形成している周囲部の一部）に突設された爪部１４とを有している。スリット２は、直線溝形であり、片部１３を弾性揺動可能にしている。爪部１４は、突出端面が下から上に行くほど次第に突出量を増す傾斜面１４ａを有している。
【００２１】
軸部１５には、対向した前後面にあって上下方向に延びている溝１６と、先端側の中間部を先端の少し手前から先端までを切り欠いた開口１７と、開口１７と両側面との間を形成している弾性片部分１５ａ，１５ａと、各片部分１５ａの先端側側面に突設れた突起１８とを有している。溝１６は、前後面の中間に位置して、頭部１０の下端から開口１７まで真っ直ぐ延びている。開口１７は、各片部分１５ａの弾性度合いに応じた大きさとなっている。各片部分１５及び突起１８は、図３に示されるごとく軸部１５を係止脚部２５の筒内に押し入れた際に弾性変位し挿入穴２４の内面に対し所定圧接力で圧着、つまり圧着手段を構成している。また、突起１８は、爪部１４と同様に突出端面が下から上に行くほど次第に突出量を増すよう形成されており、後述する係止脚部２５の係止穴２９と共に仮止め手段５を構成している。
【００２２】
一方、雌部材２は、図１及び図５に示されるごとく鍔部２０が頭部１０を収容する周囲壁２２を有し概略有底の円筒状であり、係止脚部２５がその鍔部下面の中央に先端を閉じた有底円筒状に突設されている。
【００２３】
すなわち、鍔部２０は、中央部が挿入穴２４で開口され、その挿入穴２４が係止脚部２５の筒内底面までほぼ同じ内径で延びている。挿入穴２４には、鍔部２０及び係止脚部２５の筒内底面まで一対のリブ２６が対向して突出されている。各リブ２６は、上記溝１６と共にガイド手段６を構成している。このガイド手段６は、軸部１５が挿入穴２４に押入される際、各溝１６が対応するリブ２６に摺動自在に嵌合し、その嵌合状態により軸部１５の押入操作を安定して行われるようにする。
【００２４】
周囲壁２２には、円弧状に切り欠された両側の切欠部２１と、両切欠部２１に対応して設けられた弾性揺動可能な片部２２ａとが設けられている。片部２２ａは、周囲壁２２の内周側の一部を水平に切り欠くと共に、筒内外を貫通形成した下側の穴部２３の存在により揺動変位可能となっている。穴部２３は、上記爪部１４と共に係合手段３を構成している。この係合手段３は、頭部１０が周囲壁２２の筒内に収容される際、各爪部１４が対応する穴部２３に係合することにより頭部１０を鍔部２０に拘束する。つまり係合手段３は、クリップ４の使用状態ないしは本止め状態において、雄部材１が雌部材２から抜けないように規制する。
【００２５】
また、係止脚部２５は、図３に例示されるごとくパネル８の取付孔８ａ及び被取付部材９の取付孔９ａに対応した径であり、それぞれ対向して設けられて取付孔８ａに係合する一対の係止片２８、及び上記突起１８と係合する一対の係止穴２９を有している。係止穴２９及び係止片２８は上下に配置されている。各係止片２８は、コ形のスリット２７により区画されて縮拡変位可能に形成されており、外面が下から上に行くほど張出量を増し、かつ、上端付近が取付孔８ａに係合可能な段差となっている。各係止穴２９は、スリット２７のコ形中間部と間隔２５ｂを保って設けられて、横に長い楕円形の穴となっている。
【００２６】
（作動）以下、以上のクリップ３の主な作動特徴を図２及び図３を参照し明らかにする。
なお、図２及び図３において、符号８は自動車の下側パネルであり、パネル８には取付孔８ａが設けられている。符号９は被取付部材としてエアロスパッツであり、エアロスパッツ９には取付孔８ａに重ねられる取付孔９ａが設けられている。被取付部材９であるエアロスパッツは、車両下側やホイールハウス内へ入り込み乱流を起す空気を制御・整流化させ、走行安定性を確保する比較的長い部品であり、車体側の対応パネル部に対してボルト・ナットによる固定と、複数のクリップ４による固定とで装着される。
【００２７】
従って、クリップ４としては、ワンタッチ操作にて、比較的弱い力で雄部材１を雌部材２に押入れて係合可能であると共に、係合力ないしは抜去力を少しでも強くすることが要求される。図３（ｂ）は、走行中のタイヤから巻き上げられた飛び石が雌部材２の係止脚部２０の先端側に当たり、雄部材１に矢印つまり抜け方向の応力Ｆ３が加わった状態を示している。
【００２８】
（ア）クリップ４は、図４の雄部材１及び図５の雌部材２のごとく単品だと取り扱い難いことから、通常は図１や図２のごとく雄部材１を雌部材２に仮組み付けつまり仮止め状態で被取付部材９の組立工程に投入される。仮止め操作は、図２に示されるごとく雄部材１が雌部材２の挿入穴２４に対しガイド手段６、つまり各溝１６を対応するリブ２６に嵌合した状態で下向きに押される。すると、軸部１５は、片部分１５ａの縮径変位を伴って挿入穴２４に若干入り、片部分１５ａが元の形状に拡径変位することで突起１８が係止穴２９に嵌合する。符号Ｆ１はそのようにして雄部材１を下向きに押す応力を示している。
【００２９】
以上の仮止め構成では、雄部材１が雌部材２に対して前後又は左右の係止穴２９，２９及び突起１８，１８の嵌合と、左右又は前後のリブ２６，２６及び溝１６，１６の嵌合、合計４箇所の嵌合により起立した状態で安定保持される。
【００３０】
（イ）図３（ａ）は図２の仮止め状態から、雄部材１が挿入穴２４に対し使用状態ないしは本止め状態の少し手前まで押された状態を示している。この場合、雄部材１は、各片部分１５ａが係止穴２９に対する突起１８の嵌合解除により縮径方向に弾性変位し、その弾性変位に伴う圧接力を発現する。また、係合手段３においては、図３の拡大図から明らかなごとく、各片部２２ａが爪部１４に当接するとその爪部から受ける反力で矢印方向である外側へ弾性変位し、かつ、各片部１３が片部２２ａから爪部１４を介して受ける応力で矢印方向つまりスリット１２側へ弾性変位する。このような両方の変位により、係合手段３としては、爪部１４及び穴部２３の係合力を大きくしても比較的弱い矢印方向の応力Ｆ２により係合操作可能となる。係合後は係合解除つまり雌部材２に対して雄部材１の抜けが起きに難くなる。
【００３１】
従って、以上のクリップ４では、係合手段３による係合力を増大する場合にも、作業性を良好に維持できる。なお、押し応力Ｆ２は、応力Ｆ１に比べて係合手段３に対応した分だけ大きくなる。
【００３２】
（ウ）図３（ｂ）は雄部材１が雌部材２に対し係合した使用状態ないしは本止め状態である。この状態において、雄部材１は、雌部材の挿入穴２４に対して圧着手段である突起１８が片部分１５ａに変位応力を蓄えた状態で挿入穴２４の内面に圧接しておりその圧接力と、係合手段３により係合力とにより結合されている。係合手段３つまり爪部１４及び穴部２３の係合では、頭部１０が鍔部の周囲壁２２に収容されるため外力の影響、例えば飛び石が頭部１０に直に当たり難く、加えて周囲壁２２に爪部１４と係合する穴部２３を雄部材の抜け方向と交差する水平方向に貫通しているため、爪部１４が穴部２３に弾性係合された後は係合解除され難くなる。
【００３３】
従って、以上のクリップ３は、係合操作力を弱くし、かつ、抜去力ないしは係合力を増大するという背反する要求を満足し易くなる。勿論、以上の係合手段３では、爪部１４が穴部２３に係合する際に互いの爪部１４及び片部２２ａが弾性変位するため大きな節度感が得られるという利点もある。
【００３４】
（変形例）以上のクリップは、図６の変形例１や２、図７及び図８の変形例３のごとく変形可能である。各変形例の説明では、図１〜図６に示した部材や部位と同じものに同一符号を付し、重複説明を極力省くことにする。
【００３５】
図６（ａ）の変形例１は、上記形態例の片部１３が両端を頭部１０に一体化した構成であるのに対し、片部１３ａを片持ちタイプに変更した一例である。すなわち、この片部１３ａは、一端が頭部１０に一体化され、他端が自由端となっているため、片部１３に比べて弾性揺動に富んでいる。
【００３６】
図６（ｂ）の変形例２は、上記形態例の穴部２３に対し小さな嵌合穴２３ａに変更すると共に、形態例の片部２２ａに相当する片部２２ｂが縦スリット２２ｄにより弾性揺動可能となっている。この場合は、爪部１４を嵌合穴２３ａに係合した状態をより安定維持可能となり、片部２２ｂが片部２２ａに比べて弾性揺動に富んでいる。
【００３７】
図７及び図８の変形例３は、上記形態例の爪部１４付きの片部２２ａ及び穴部２３を変更したものである。すなわち、変形例３において、各片部７は、頭部１０の下面に軸部１５を挟んだ箇所から軸部１５と略平行に突設されており、先端側に爪部７ａを有している。符号１０ａは頭部１０に貫通されている型抜き穴である。また、鍔部２０は、形態例のものに比べて周囲壁２２が低く形成されている点、下面には各片部７と対応した箇所に逃げ溝２０ａが設けられている点、爪部７ａ付きの片部７を通す上下に貫通した穴部２１ａが設けられている点、穴部２１ａを形成している穴形成部の一部２１ｂをスリット２１ｃの存在により揺動変位可能に形成している点で変更されている。
【００３８】
この係合手段３は、図７（ｂ）の仮止め状態から、雄部材１が挿入穴２４に対し図８の使用状態ないしは本止め状態の少し手前まで押されると、各爪部７ａが一部２１ｂをスリット２１ｃ側への変形を伴って穴部２１ａを通過して係合する。要は、係合手段３としては上記形態や変形例１，２の構成に限定されず設計上の自由度を拡大できる。
【００３９】
以上のように、本発明のクリップは、各請求項で特定される構成を備えておればよく、細部はこの形態及び変形例を参考にして更に変更したり展開可能なものである。その一例として、形態例及び各変形例の係合手段に代えて、片部及び爪部を雌部材の鍔部に設けると共に該爪部に係合する穴部を雄部材の頭部に設ける構成である。また、用途としては、形態以外にも色々な分野に応用可能であり、また、名称も取付装置などと称しても差し支えない。
【符号の説明】
【００４０】
１・・・・・雄部材
２・・・・・雌部材
３・・・・・係合手段（１４と７ａは爪部、２３と２１ａは穴部）
４・・・・・クリップ
５・・・・・仮止め手段（１８は突起、２９は係止穴）
６・・・・・ガイド手段（１６は溝、２６はリブ）
７・・・・・片部
８・・・・・パネル（８ａは取付孔）
９・・・・・被取付部材（９ａは取付孔）
１０・・・・頭部（１２，１２ａはスリット）
１３・・・・片部
１３ａ・・・片部
１５・・・・軸部
１５ａ・・・弾性片部分
１８・・・・片部分の突起（圧着手段）
２０・・・・鍔部
２２・・・・周囲壁
２１ａ・・・穴形成部の一部
２２ａ・・・片部（穴形成部の一部）
２２ｂ・・・片部（穴形成部の一部）
２３ａ・・・嵌合穴
２４・・・・挿入穴
２５・・・・係止脚部
【図１】
0006466310.tif 000002
【図２】
0006466310.tif 000003
【図３】
0006466310.tif 000004
【図４】
0006466310.tif 000005
【図５】
0006466310.tif 000006
【図６】
0006466310.tif 000007
【図７】
0006466310.tif 000008
【図８】
0006466310.tif 000009
【図９】
0006466310.tif 000010
【図１０】
0006466310.tif 000011